(57)【要約】【課題】固定障子とする障子を建て込む際の窓枠の傷付きを防止できるとともに障子の建て込み作業性を向上させることができる建具を提供すること。【解決手段】端部キャップ２０の第２底面部２４を屋外側上面部材３Ｆの上面に載置し、屋外側上面部材３Ｆの上面に第２底面部２４を摺接させつつ固定障子８をスライドさせ、さらに端部キャップ２０の壁部２８の摺接底面２８１を屋外側下レール３Ｂの上面に摺接させつつ固定障子８をスライドさせ、壁部２８を凹み部３Ｇに挿入して固定障子８を下降させて位置決めすることで、外召合せ框１４Ａや下框１２を下枠３の屋外側上面部材３Ｆや屋外側下レール３Ｂ等に直接摺接させずに固定障子８を建て込むことができ、下枠３への傷付きを防止することができるとともに、摩擦抵抗を低減させて建て込み作業の作業性を向上させることができる。【選択図】図８
2012082613.tif 000002
【特許請求の範囲】
【請求項１】
下枠を有した窓枠と、この窓枠内部に固定される少なくとも１枚の障子とを備えた建具であって、
前記下枠は、当該下枠の長手方向に沿って延びるとともに上方に立ち上がる立上部を有し、この立上部の一部には、当該立上部の上面から下方に向かって凹んだ凹み部が形成され、
前記障子の下端縁には、前記立上部の上面に載置されて摺動可能かつ前記立上部を受け入れ可能な摺動部材が設けられ、
前記摺動部材には、前記立上部の上面に摺接可能かつ前記凹み部に挿入可能な摺接壁部が上下に延びて形成される建具。
【請求項２】
前記摺動部材には、前記摺接壁部の底面よりも上方に凹んだ凹溝部が形成され、前記障子を下降させた際に前記凹溝部に前記立上部を受け入れ可能に構成されている請求項１に記載の建具。
【請求項３】
前記下枠の立上部は、前記下枠の略全長に渡って形成された立上片と、前記固定される障子の下方から外れた位置の前記立上片に沿って取り付けられた上面部材とを有して構成され、前記凹み部は、前記立上片に形成され、
前記摺動部材には、前記摺接壁部の底面よりも下方にて略水平面に沿って延びる平坦面部が形成され、この平坦面部が前記上面部材の上面に載置されて摺動可能に構成され、前記摺接壁部の底面が前記立上片の上面に摺接可能に構成されている請求項１または請求項２に記載の建具。
【請求項４】
前記摺動部材は、前記障子の縦框の下端部に取り付けられる端部部材で構成されている請求項１から請求項３のいずれかに記載の建具。
【請求項５】
前記摺動部材は、樹脂製であって、前記縦框の下端部には、前記摺接壁部に隣接して設けられる金属製の垂下面部が形成され、前記障子を下降させた際に前記摺接壁部とともに前記垂下面部が前記凹み部に挿入される請求項４に記載の建具。
【発明の詳細な説明】
【技術分野】
【０００１】
本発明は、建具に関し、詳しくは、窓枠内部に固定される少なくとも１枚の障子を備えた建具に関する。
【背景技術】
【０００２】
従来、窓枠内部に固定した方立や縦骨でガラスパネルを移動不能に支持し、このようなガラスパネルによって嵌め殺し部（Ｆｉｘ部）を構成した片引き窓などが知られている（例えば、特許文献１参照）。この片引き窓では、窓枠において、Ｆｉｘ部に対応した部分にガラス保持部が設けられ、その屋外側に可動障子を開閉自在に支持するレールなどの開閉支持部が設けられている。このため、窓枠の構造が複雑になるとともに、建て込み作業も煩雑になってしまうという問題があった。
そこで、方立や縦骨を用いずに、可動障子と同様の構成を有した障子を窓枠内部に固定し、この障子（固定障子）によってＦｉｘ部を構成した窓が提案されている（例えば、特許文献２参照）。この窓では、窓枠のレール部に左右移動自在に支持された障子を固定手段で固定することでＦｉｘ部が構成され、固定手段の固定を解除すれば障子を開放することかできるように構成されている。
【先行技術文献】
【特許文献】
【０００３】
【特許文献１】実用新案登録第２５８４６５１号公報
【特許文献２】実開昭６２−９６４７９号公報
【発明の概要】
【発明が解決しようとする課題】
【０００４】
しかしながら、前記特許文献２に記載されたような窓では、固定障子をも開閉可能に支持するために、戸車を取り付けるなど可動障子と同等の仕様にしておく必要があることから、固定障子としては構成部品等が過剰となってコストが増大するという問題がある。
一方、開閉不能な仕様として戸車等を省略した固定障子を窓枠内に建て込むことも考えられるが、その場合には、戸車が省略されていることで、障子の下端縁（下框や縦框の下端）が下枠に直接載置された際に下枠を傷付けてしまう可能性がある。さらに、窓枠内に建て込んだ障子を左右に移動させて位置決めする際に、下枠の傷をさらに拡げてしまうとともに、金属同士が摺接することによる大きな摩擦抵抗が生じて作業性が低下するという問題もある。
【０００５】
本発明の目的は、固定障子とする障子を建て込む際の窓枠の傷付きを防止できるとともに障子の建て込み作業性を向上させることができる建具を提供することにある。
【課題を解決するための手段】
【０００６】
本発明の建具は、下枠を有した窓枠と、この窓枠内部に固定される少なくとも１枚の障子とを備えた建具であって、前記下枠は、当該下枠の長手方向に沿って延びるとともに上方に立ち上がる立上部を有し、この立上部の一部には、当該立上部の上面から下方に向かって凹んだ凹み部が形成され、前記障子の下端縁には、前記立上部の上面に載置されて摺動可能かつ前記立上部を受け入れ可能な摺動部材が設けられ、前記摺動部材には、前記立上部の上面に摺接可能かつ前記凹み部に挿入可能な摺接壁部が上下に延びて形成されることを特徴とする。
【０００７】
以上の本発明によれば、障子の下端縁に設けた摺動部材を下枠の立上部上面に載置してから、摺接壁部の底面を立上部の上面に摺接させて障子を移動させ、摺接壁部を凹み部に挿入して障子を位置決めすることで、摺動部材を介して障子を立上部等の下枠に建て込むことができる。従って、下枠への傷付きを防止することができるとともに、摩擦抵抗を低減させて建て込み作業の作業性を向上させることができる。さらに、摺動部材の摺接壁部を立上部の凹み部に挿入して障子を位置決めすることで、下枠の長手方向に沿ってスライドさせた障子を所定位置で下降させる、つまり摺接壁部を凹み部に落とし込むだけで位置決めが完了し、障子の自重によって容易には位置決めが解除されないことから、建て込み作業を容易かつ確実に実施することができる。
【０００８】
この際、本発明の建具では、前記摺動部材には、前記摺接壁部の底面よりも上方に凹んだ凹溝部が形成され、前記障子を下降させた際に前記凹溝部に前記立上部を受け入れ可能に構成されていることが好ましい。
このような構成によれば、障子を下降させて凹溝部に立上部を受け入れることで、摺接壁部および凹み部による下枠の長手方向に沿った障子の位置決めのみならず、凹溝部と立上部との係合による見込み方向の障子の位置決めも同時に行うことができ、建て込み作業の作業性を向上させつつ位置決め精度を高めることができる。
【０００９】
さらに、本発明の建具では、前記下枠の立上部は、前記下枠の略全長に渡って形成された立上片と、前記固定される障子の下方から外れた位置の前記立上片に沿って取り付けられた上面部材とを有して構成され、前記凹み部は、前記立上片に形成され、前記摺動部材には、前記摺接壁部の底面よりも下方にて略水平面に沿って延びる平坦面部が形成され、この平坦面部が前記上面部材の上面に載置されて摺動可能に構成され、前記摺接壁部の底面が前記立上片の上面に摺接可能に構成されていることが好ましい。
このような構成によれば、固定した障子に隣接して開口部となる側の下枠に上面部材を設けておくことで、この開口部の下枠上面をフラットに形成することができ、開口部から出入りする際の利便性を高めることができる。そして、このような上面部材を設けた場合でも、摺動部材に平坦面部を形成して上面部材の上面に摺動させることで、上面部材への傷付きを防止することができる。さらに、平坦面部が摺接壁部の底面よりも下方に形成されているので、障子を建て込む際に、先ず平坦面部が上面部材に載置され、下枠の長手方向に障子をスライドさせて平坦面部が上面部材の端部を越えたときに、平坦面部と摺接壁部の底面との段差分だけ障子が下降してから摺接壁部の底面が立上片の上面に載置されることとなる。従って、摺動部材と立上部との摺動状態が作業者から判別しやすくなって、障子の建て込み作業を一層容易かつ確実に実施することができる。
【００１０】
また、本発明の建具では、前記摺動部材は、前記障子の縦框の下端部に取り付けられる端部部材で構成されていることが好ましい。
このような構成によれば、縦框の端部部材によって摺動部材を構成することで、端部部材とは別に摺動部材を用意する場合と比較して部品点数を削減することができる。また、端部部材（摺動部材）を設ける縦框を、障子に隣接して開口部となる側の縦框とすれば、開口部において露出する下枠の傷付きを確実に防止することができ、建具の良好な外観を確保することができる。
【００１１】
この際、本発明の建具では、前記摺動部材は、樹脂製であって、前記縦框の下端部には、前記摺接壁部に隣接して設けられる金属製の垂下面部が形成され、前記障子を下降させた際に前記摺接壁部とともに前記垂下面部が前記凹み部に挿入されることが好ましい。
このような構成によれば、縦框の金属製の垂下面部を摺接壁部とともに凹み部に挿入することで、樹脂製の摺動部材の摺接壁部のみならず、縦框の垂下面部によっても障子を位置決めすることができ、位置決めの強度を向上させることができる。
【図面の簡単な説明】
【００１２】
【図１】本発明の実施形態に係る建具を示す縦断面図である。
【図２】前記建具を示す横断面図である。
【図３】前記建具に設けられる固定障子の下部を示す斜視図である。
【図４】前記固定障子の下端部に設けられる端部部材を示す斜視図である。
【図５】前記固定障子の下部における固定構造を示す斜視図である。
【図６】前記固定構造を屋内側から見た斜視図である。
【図７】前記固定障子の建て込み手順を示す斜視図である。
【図８】図７の手順を下方から見た斜視図である。
【図９】図７、８に続く前記固定障子の建て込み手順を示す斜視図である。
【図１０】図９に続く前記固定障子の建て込み手順を示す斜視図である。
【図１１】前記固定障子の上部における固定構造を示す斜視図である。
【図１２】前記固定構造の固定手順を示す斜視図である。
【図１３】前記固定構造のに用いる固定部材を示す斜視図である。
【発明を実施するための形態】
【００１３】
以下、本発明の一実施形態を図面に基づいて説明する。
図１および図２において、実施形態に係る建具としての片引き窓１は、上枠２、下枠３および左右の縦枠４，５を四周枠組みした窓枠６と、この窓枠６の内部に開閉自在に支持される屋内側の可動障子７と、この可動障子７よりも屋外側にて窓枠６に固定される固定障子８と、この固定障子８よりも屋外側にて窓枠６に開閉自在に支持される網戸９とを備えて構成されている。可動障子７および固定障子８は、それぞれアルミ形材製の上框１１、下框１２および左右の縦框１３，１４を四周框組みした内部にガラスパネル（複層ガラス）１５を嵌め込んで構成されている。可動障子７は、その下框１２に設けられた戸車１２Ａが下枠３の屋内側下レール３Ａに案内されることで、左右開閉自在に支持されている。一方、固定障子８には戸車が設けられておらず、その下框１２が下枠３の屋外側下レール（立上片）３Ｂに載置されている。そして、可動障子７を閉じることで、その縦框１３と固定障子８の縦框１４とが見込み方向に重なり、すなわち、可動障子７の縦框１３で内召合せ框１３Ａが構成され、固定障子８の縦框１４で外召合せ框１４Ａが構成されている。一方、可動障子７を固定障子８の屋内側に重ねて開放することで、固定障子８の外召合せ框１４Ａと縦枠５との間に開口部６Ａが形成されるようになっている。
【００１４】
上枠２は、それぞれ下方に開口して凹溝状に形成された屋内側障子支持部２Ａおよび屋外側障子支持部２Ｂを有して形成され、屋内側障子支持部２Ａに可動障子７の上端縁が摺動可能に支持され、屋外側障子支持部２Ｂに固定障子８の上端縁が見込み方向に移動不能に支持されている。
図２中、左側の縦枠４は、見付け方向内方に開口した屋外側障子支持部４Ａを有して形成され、この屋外側障子支持部４Ａに固定障子８の戸先側の縦框１３（戸先框１３Ｂ）が見込み方向に移動不能に支持されている。図２中、右側の縦枠５は、見付け方向内方に開口した屋内側障子支持部５Ａを有して形成され、この屋内側障子支持部５Ａに閉じた可動障子７の戸先側の縦框１４が引き寄せられて見込み方向に移動不能に支持されるようになっている。
【００１５】
下枠３は、それぞれ下枠３の長手方向に沿って延びる屋内側下レール３Ａおよび屋外側下レール３Ｂと、これらの間すなわち下枠３の見込み方向中間位置にて各レール３Ａ，３Ｂを平行に延びる中間仕切片３Ｃとを有して形成されている。また、下枠３の長さ方向略中央の召合せ部、つまり可動障子７を閉じた状態で内召合せ框１３Ａと外召合せ框１４Ａとが見込み方向に並んで重なる位置の下方には、各召合せ框１３Ａ，１４Ａに当接可能な気密部材である風止め板３Ｄが取り付けられている。さらに、風止め板３Ｄよりも固定障子８側（図２中、左側）には、屋内側下レール３Ａと中間仕切片３Ｃとに渡って樹脂製の屋内側上面部材３Ｅが取り付けられ、風止め板３Ｄよりも開口部６Ａ側（図２中、右側）には、屋内側下レール３Ａと屋外側下レール３Ｂとに渡るとともに中間仕切片３Ｃに係合されるアルミ形材製の屋外側上面部材（上面部材）３Ｆが取り付けられている。以上の下枠３において、屋外側下レール３Ｂと屋外側上面部材３Ｆとによって立上部が構成され、これらの上面に後述する固定障子８の端部キャップ２０が摺接可能に構成されている。
【００１６】
固定障子８の外召合せ框１４Ａは、図３〜図６にも示すように、金属製であるアルミ形材製の縦框本体１４Ｂと、この縦框本体１４Ｂの屋内側に係合する樹脂製の押縁１４Ｃとを有して構成されている。縦框本体１４Ｂは、開口部６Ａ側にて見込み方向に延びる見込み面部１４１と、この見込み面部１４１の屋外側端部から見付け方向内側（ガラスパネル１５側）に延びる屋外側見付け面部１４２と、見込み面部１４１の屋内側端部から見付け方向内側に屈曲して延びる屋内側見付け面部１４３と、屋内外の見付け面部１４２，１４３に渡って見込み方向に延びる連結面部１４４と、これらで囲まれた中空部１４５とを有して形成されている。そして、連結面部１４４に押縁１４Ｃが係合されて取り付けられ、この押縁１４Ｃと屋外側見付け面部１４２との間にガラスパネル１５の側端縁が保持されるようになっている。このような外召合せ框１４Ａの下端部には、端部部材（摺動部材）としての端部キャップ２０が取り付けられている。
【００１７】
端部キャップ２０は、樹脂製の一体成形部材であって、外召合せ框１４Ａの中空部１４５に下方から圧入されて係合される挿入部２１と、外召合せ框１４Ａの見込み面部１４１外面に沿って設けられて挿入部２１との間に見込み面部１４１を挟み込むキャップ側面部２２と、挿入部２１の下端部に連続するとともに外召合せ框１４Ａの屋外側見付け面部１４２の下端縁に沿って延びる第１底面部２３と、挿入部２１の下端部に連続するとともに第１底面部２３よりも屋内側に設けられる第２底面部（平坦面部）２４と、これら第１および第２の底面部２３，２４の間に位置して上方に凹溝状に形成される凹溝部２５とを有して形成されている。さらに、端部キャップ２０は、第２底面部２４の屋内側端縁から立ち上がり下框１２の気密材保持溝１２Ｂに連続して形成される気密材保持部２６と、気密材保持部２６の下框１２側端部と第２底面部２４とを連結する立上片部２７とを有して構成されている。これらの気密材保持溝１２Ｂおよび気密材保持部２６には、図１に示すような気密材としてのモヘア１２Ｃが下框１２からキャップ側面部２２近傍に至るまで連続して保持され、このモヘア１２Ｃが屋内側上面部材３Ｅに当接するようになっている。
【００１８】
凹溝部２５は、屋外側下レール３Ｂを略隙間なく受け入れ可能な見込み方向の幅寸法を有するとともに、キャップ側面部２２側に開口して外召合せ框１４Ａの見付け方向内方に連続して形成され、当該凹溝部２５の内方側端部（左右方向ガラスパネル１５側端部）は、図３に示すように壁部（摺接壁部）２８で塞がれている。この壁部２８は、第１および第２の底面部２３，２４よりも若干（例えば、１mm〜数mm程度）高い位置に設けられる摺接底面２８１と、この摺接底面２８１の凹溝部２５側に連続して上がり勾配を有した傾斜面部２８２と、この傾斜面部２８２から凹溝部２５上面まで連続して立ち上がる表面部２８３と、凹溝部２５と反対側にて摺接底面２８１の端縁に連続して立ち上がる背面部２８４とを有して構成されている。背面部２８４の表面は、立上片部２７とフラットに形成され、これらの立上片部２７および背面部２８４と面一な状態で外召合せ框１４Ａの連結面部１４４が設けられ、連結面部１４４の下端から垂下された垂下面部１４４Ａが背面部２８４の直上まで延びて形成されている。この垂下面部１４４Ａの下端縁位置は、少なくとも壁部２８の上端位置すなわち凹溝部２５の上端位置よりも下方まで延びて設けられている。
【００１９】
以上のような端部キャップ２０が取り付けられた外召合せ框１４Ａおよび固定障子８は、図５に示すように、下枠３の屋外側下レール３Ｂに形成された凹み部３Ｇに壁部２８が挿入されるとともに、凹溝部２５に屋外側下レール３Ｂを受け入れることで位置決めされ、さらに図６に示すように、下枠３に係止された金属製の固定片３Ｈを屋内側見付け面部１４３にビス止め固定することで、下枠３に対して移動不能に固定されるようになっている。ここで、凹み部３Ｇは、風止め板３Ｄの屋外側に対向する位置に設けられ（図７参照）、屋外側下レール３Ｂをその上面から下方に向かって切り欠いて形成され、この凹み部３Ｇの上部開口側における一方側（図７の左側）には、壁部２８の傾斜面部２８２に摺接可能な傾斜面３Ｉが形成されている。さらに、凹み部３Ｇは、端部キャップ２０の壁部２８が挿入された状態において、外召合せ框１４Ａの垂下面部１４４Ａの先端部も凹み部３Ｇに挿入される程度の深さ寸法を有して形成されている。また、固定片３Ｈは、全体Ｌ字形に形成された金属板材からなり、風止め板３Ｄの屋外側で中間仕切片３Ｃとの間に挿通されるとともに、中間仕切片３Ｃの基端部を切り欠いて形成された係止孔３Ｊ（図８参照）に係止されている。
【００２０】
固定障子８の建て込み手順としては、先ず、図７および図８に示すように、外召合せ框１４Ａを固定位置よりも開口部６Ａ側に位置させた状態で、下枠３の上方から固定障子８を下降させて下枠３の上面に載置する。この際、固定障子８の上端縁（上框１１および縦框１３，１４の上端部）は上枠２の屋外側障子支持部２Ｂに挿入され、すなわち、けんどん式で窓枠６内部に固定障子８が建て込まれ、固定障子８の下端縁側では、端部キャップ２０の第２底面部２４が屋外側上面部材３Ｆの上面に載置される。なお、図示を省略するが、固定障子８の戸先框１３Ｂ側においては、この戸先框１３Ｂの下端部に設けられた端部キャップが屋外側下レール３Ｂに載置されている。次に、図９に示すように、端部キャップ２０の第２底面部２４を屋外側上面部材３Ｆの上面に摺接させつつ固定障子８をスライドさせ、さらに、図１０に示すように、端部キャップ２０の摺接底面２８１を屋外側下レール３Ｂの上面に摺接させつつ固定障子８をスライドさせてから、壁部２８を凹み部３Ｇに挿入して、固定障子８を下降させる。この際、固定障子８の戸先框１３Ｂ側においても、屋外側下レール３Ｂに設けられた切欠きに端部キャップの一部を落とし込むようにする。
【００２１】
以上のように固定障子８は、端部キャップ２０の壁部２８の表面部２８３および背面部２８４と垂下面部１４４Ａとが凹み部３Ｇに係止されることで、下枠３の長手方向に移動不能に位置決めされるとともに、端部キャップ２０の凹溝部２５に屋外側下レール３Ｂを受け入れることで、見込み方向にも位置決めされるようになっている。さらに、固定障子８は、中間仕切片３Ｃの係止孔３Ｊに係止された固定片３Ｈを外召合せ框１４Ａにビス止め固定することで、上方への移動が規制され、これにより外召合せ框１４Ａの下端部（端部キャップ２０）が下枠３から浮き上がらず、位置決め状態を維持できるようになっている。
【００２２】
一方、固定障子８の上部側における固定構造は、図１１〜図１３に示すように、外召合せ框１４Ａの上端部に固定されるとともに上枠２の屋外側障子支持部２Ｂに係合される固定部材３０を有して構成されている。ここで、屋外側障子支持部２Ｂには、見込み方向に延びる上枠上面部２Ｃと、この上枠上面部２Ｃの屋外側端部から下方に延びる上枠見付け面部２Ｄと、上枠上面部２Ｃの屋内端部側にて屋外側に開口した溝状の係止溝部２Ｅとが、それぞれ上枠２の長手方向に連続して形成されている。また、外召合せ框１４Ａの上端部には、端部キャップ１４Ｄが取り付けられている。
固定部材３０は、樹脂製の一体成形部材であって、外召合せ框１４Ａの見込み面部１４１に固定される固定部３１と、この固定部３１に連続して水平方向に延び固定障子８の端部キャップ１４Ｄと上枠上面部２Ｃとの間に挿入される挿入部３２とを有して形成されている。
【００２３】
固定部３１は、外召合せ框１４Ａの見込み面部１４１に沿って上下および見込み方向に延びる平板状に形成され、ビス３３によって見込み面部１４１に固定されるようになっている。挿入部３２は、２つの上面部３４，３５と、屋内外の側面部３６，３７と、底面部３８とを有して中空状に形成され、この中空内部には上下に延びるリブ部３９が設けられている。２つの上面部３４，３５は、それぞれ上枠上面部２Ｃに摺接可能に設けられるとともに、屋内側の上面部３４は、その屋内側端縁が係止溝部２Ｅに係止可能に構成されている。また、底面部３８は、端部キャップ１４Ｄの上面に対して摺接可能あるいは接近した状態で対向可能に設けられている。また、屋外側の側面部３７には、上下の切り欠き溝に挟まれて屋内外方向に弾性変形可能な弾性片部３７１と、この弾性片部３７１の略中央から屋外側に突出した係合部としての係合突起３７２とが形成され、係合突起３７２は、上枠２の上枠見付け面部２Ｄに形成された係合孔２Ｆに係合可能に構成されている。
【００２４】
以上の固定部材３０の取付手順としては、前述のように建て込んで下枠３に対して固定障子８を位置決めした状態で、図１１に示すように、上面部３４の屋内側端縁を上枠２の係止溝部２Ｅに係止させかつ２つの上面部３４，３５を上枠上面部２Ｃに当接させた固定部材３０を、開口部６Ａ側から固定障子８に向かってスライドさせる。この際、係合突起３７２が上枠見付け面部２Ｄに当接して屋内側に押し込まれることで、弾性片部３７１が付勢状態で屋内側に撓むこととなる。さらに、固定障子８をスライドさせて挿入部３２を端部キャップ１４Ｄと上枠上面部２Ｃとの間に挿入し、係合突起３７２が上枠見付け面部２Ｄの係合孔２Ｆまで押し込むことで、図１２に示すように、弾性片部３７１の付勢力によって係合突起３７２が屋外側に押し出されて係合孔２Ｆに係合する。このように係合突起３７２を係合孔２Ｆに係合させたら、ビス３３で固定部３１を見込み面部１４１に固定して固定部材３０の取り付けが完了する。このように固定部材３０の挿入部３２を端部キャップ１４Ｄと上枠上面部２Ｃとの間に挿入することで、固定障子８の上方への移動が規制され、固定障子８が窓枠６に対して移動不能に固定されることとなる。
【００２５】
以上の実施形態によれば、端部キャップ２０の第２底面部２４を屋外側上面部材３Ｆの上面に載置し、屋外側上面部材３Ｆの上面に第２底面部２４を摺接させつつ固定障子８をスライドさせ、さらに端部キャップ２０の壁部２８の摺接底面２８１を屋外側下レール３Ｂの上面に摺接させつつ固定障子８をスライドさせ、壁部２８を凹み部３Ｇに挿入して固定障子８を下降させて位置決めすることで、外召合せ框１４Ａや下框１２を下枠３の屋外側上面部材３Ｆや屋外側下レール３Ｂ等に直接摺接させずに（または、直接摺接することを抑制しつつ）固定障子８を建て込むことができる。従って、アルミ等の金属よりも軟らかくかつ摺動性がよい樹脂製の端部キャップ２０を摺接させることで、下枠３への傷付きを防止することができるとともに、摩擦抵抗を低減させて建て込み作業の作業性を向上させることができる。さらに、端部キャップ２０の壁部２８を凹み部３Ｇに落とし込むだけで固定障子８の位置決めが完了し、固定障子８の自重によって容易には位置決めが解除されないことから、建て込み作業を容易かつ確実に実施することができる。さらに、凹み部３Ｇによって固定障子８を位置決めしてから、固定片３Ｈを外召合せ框１４Ａにビス止め固定するとともに、固定部材３０を外召合せ框１４Ａ上端部と上枠上面部２Ｃとの間に挿入して固定することで、安定した状態で固定作業を実施することができ、建て込み作業の作業性をさらに向上させることができる。
【００２６】
なお、本発明は、前記実施形態に限定されるものではなく、本発明の目的を達成できる他の構成等を含み、以下に示すような変形等も本発明に含まれる。
例えば、前記実施形態においては、片引き窓１を例示して説明したが、本発明の建具は、片引き窓１に限らず、少なくとも１枚の固定障子を有したものであればよく、その開閉形式は特に限定されない。また、片引き窓１では、可動障子７が固定障子８よりも屋内側に設けられた内動片引き形式のものを例示したが、可動障子７が固定障子８よりも屋外側に設けられた外動片引き形式のものであってもよい。
【００２７】
また、前記実施形態では、壁部２８や摺接底面２８１、第２底面部２４などを有して外召合せ框１４Ａの下端部に取り付けられる端部キャップ２０を摺動部材としたが、これに限らず、摺動部材は、固定障子８の下端縁のいずれの位置に設けられていてもよく、従って、下框１２の長手方向途中位置に摺動部材が設けられていてもよい。さらに、前記実施形態では、固定障子８における戸先框１３Ｂの下端部に設けられる端部キャップに関しては詳しく説明しなかったが、端部キャップ２０と同様の構成を有したものが戸先框１３Ｂに取り付けられていてもよいし、他の構成を有するものが取り付けられていてもよい。さらには、戸先框１３Ｂの下端部の端部キャップを省略して、戸先框１３Ｂの下端縁を直接下枠３に摺接させるようにしてもよい。この場合、戸先框１３Ｂの下端縁との摺接によって下枠３に傷が付く可能性があるものの、このように戸先框１３Ｂの下端縁が摺接する部分は、固定した固定障子８によって隠蔽されるため、その部分の下枠３に傷が付いても特に大きな問題とはならない。
【００２８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２９】
１…片引き窓（建具）、２…上枠、３…下枠、３Ｂ…屋外側下レール（立上片）、３Ｆ…屋外側上面部材（上面部材）、３Ｇ…凹み部、６…窓枠、８…固定障子、１４Ａ…外召合せ框（縦框）、２０…端部キャップ（摺動部材、端部部材）、２４…第２底面部（平坦面部）、２５…凹溝部、２８…壁部（摺接壁部）、３０…固定部材、３１…固定部、３２…挿入部、１４４Ａ…垂下面部、３７２…係合突起（係合部）。
【図１】
2012082613.tif 000003
【図２】
2012082613.tif 000004
【図３】
2012082613.tif 000005
【図４】
2012082613.tif 000006
【図５】
2012082613.tif 000007
【図６】
2012082613.tif 000008
【図７】
2012082613.tif 000009
【図８】
2012082613.tif 000010
【図９】
2012082613.tif 000011
【図１０】
2012082613.tif 000012
【図１１】
2012082613.tif 000013
【図１２】
2012082613.tif 000014
【図１３】
2012082613.tif 000015